(57)【要約】【課題】カーテン生地の振れを抑制し得るスライドスクリーンを提供する。【解決手段】先頭のカーテン生地１ａをハンガーレール２に沿って移動させることにより、複数枚のカーテン生地１ａ〜１ｄを引き延ばした状態でハンガーレール２に沿って引き出し、あるいはハンガーレール２の一側に収納可能としたスライドカーテンにおいて、各カーテン生地１ａ〜１ｄの側縁に、振れ止め部材７を取着した。【選択図】        図１
2004194699.tif 000002
【特許請求の範囲】
【請求項１】
ハンガーレールに複数枚の平板状のカーテン生地を吊下支持し、先頭のカーテン生地をハンガーレールに沿って移動させることにより、前記カーテン生地をハンガーレールに沿って順次引き出し、あるいはハンガーレールの一側に収納可能としたスライドカーテンにおいて、
前記各カーテン生地の側縁に、振れ止め部材を取着したことを特徴とするスライドスクリーン。
【請求項２】
前記各カーテン生地の側縁に袋状部を設け、該袋状部に前記振れ止め部材を挿通したことを特徴とする請求項１記載のスライドスクリーン。
【請求項３】
前記先頭のカーテン生地の振れ止め部材には、掴み部を取着したことを特徴とする請求項１記載のスライドスクリーン。
【請求項４】
前記各カーテン生地の側縁に袋状部を設け、該袋状部に前記振れ止め部材を挿通し、前記袋状部に挿通された振れ止め部材に掴み部を嵌着したことを特徴とする請求項１記載のスライドスクリーン。
【請求項５】
前記振れ止め部材を棒状とし、前記掴み部は前記カーテン生地の側方から嵌着可能とするように一部を開口した筒状とし、前記掴み部の表面を平滑面としたことを特徴とする請求項４記載のスライドスクリーン。
【発明の詳細な説明】
【０００１】
【発明の属する技術分野】
この発明は、カーテン生地を引き延ばした状態でハンガーレールに沿って移動可能に吊下支持するスライドスクリーンに関するものである。
【０００２】
【従来の技術】
スライドスクリーンは、ハンガーレール内を移動する複数のランナーにそれぞれキャリアがハンガーレールの幅方向に所定間隔を隔てて吊下支持され、そのキャリアからそれぞれ平板状のカーテン生地が吊下支持される。
【０００３】
このような構成により、複数枚のカーテン生地が平板状に吊下支持された状態で、ハンガーレールに沿って引き違い操作可能となっている。
このようなスライドスクリーンは、特許文献１あるいは特許文献２に開示されている。
【０００４】
上記のようなスライドスクリーンでは、カーテン生地をハンガーレールに沿って引き出すとき、先頭のカーテン生地の端縁を把持して引き出すと、後続のカーテン生地が順次引き出される。
【０００５】
また、カーテン生地をハンガーレールの一側に収納する場合には、先頭のカーテン生地の端縁を把持して移動させると、後続のカーテン生地とともに収納される。
【０００６】
【特許文献１】
特開２００１−３１４３１２
【特許文献２】
実公平１−３１７５８
【０００７】
【発明が解決しようとする課題】
上記のようなスライドスクリーンでは、カーテン生地を引き出したとき、カーテン生地の揺動等により各カーテン生地の下部で隣り合うカーテン生地の端縁が前後に入れ違いになってしまい、その都度各生地を整列させる必要がある。
【０００８】
また、先頭のカーテン生地の端縁を把持して引き出し操作及び収納操作を行うので、そのカーテン生地の端縁が汚れるという問題点がある。
この発明の目的は、カーテン生地の振れを抑制し得るスライドスクリーンを提供することにある。また、カーテン生地の振れを抑制し、かつカーテン生地の汚れを防止し得るスライドスクリーンを提供することにある。
【０００９】
【課題を解決するための手段】
請求項１では、先頭のカーテン生地をハンガーレールに沿って移動させることにより、複数枚のカーテン生地を引き延ばした状態でハンガーレールに沿って引き出し、あるいはハンガーレールの一側に収納可能としたスライドカーテンにおいて、前記各カーテン生地の側縁に、振れ止め部材を取着した。
【００１０】
請求項２では、前記各カーテン生地の側縁に袋状部を設け、該袋状部に前記触れ止め部材を挿通した。
請求項３では、前記振れ止め部材には、掴み部を取着した。
【００１１】
請求項４では、前記各カーテン生地の側縁に袋状部を設け、該袋状部に前記振れ止め部材を挿通し、該振れ止め部材には袋状部の上から掴み部を嵌着した。
請求項５では、前記振れ止め部材を棒状とし、前記掴み部は前記振れ止め部材の側方から嵌着可能とするように一部を開口した筒状とし、前記掴み部の表面を平滑面とした。
【００１２】
【発明の実施の形態】
以下、この発明を具体化した一実施の形態を図面に従って説明する。図１に示すスライドスクリーンは、４枚のカーテン生地１ａ〜１ｄがハンガーレール２に沿って移動可能に吊下支持されている。
【００１３】
図２に示すように、前記ハンガーレール２は前レール３ａと後レール３ｂとから構成され、前レール３ａ内にはカーテン生地１ａを吊下支持するための複数のランナー４ａと、カーテン生地１ｂを吊下支持するための複数のランナー４ｂとが配設される。
【００１４】
後レール３ｂ内には、カーテン生地１ｃを吊下支持するための複数のランナー４ｃと、カーテン生地１ｄを吊下支持するための複数のランナー４ｄとが配設される。
【００１５】
前記各ランナー４ａ〜４ｄには、それぞれキャリア５ａ〜５ｄが取着され、各キャリア５ａ〜５ｄに前記カーテン生地１ａ〜１ｄの上端部が面ファスナーで貼着されている。
【００１６】
従って、各カーテン生地１ａ〜１ｄは前後方向に等間隔を隔てて吊下支持され、カーテン生地１ａが最も前側（室内側）に吊下支持されている。
前レール３ａ内を移動するランナー４ａ，４ｂと後レール３ｂ内を移動するランナー４ｃ，４ｄ及びキャリア５ｂ，５ｃ間に設けられる係合部とから追随装置が構成される。
【００１７】
そして、カーテン生地１ａをハンガーレール２の一方、すなわち図１において右方へ引き出すと、追随装置により後続のカーテン生地１ｂ〜１ｄが順次引き出される。また、カーテン生地１ａをハンガーレール２の他方へ移動させると、カーテン生地１ａとともに、後続のカーテン生地１ｂ〜１ｄが順次同方向へ移動されて、各カーテン生地１ａ〜１ｄがハンガーレール２の他方へ収納される。
【００１８】
従って、カーテン生地１ａを操作することにより、カーテン生地１ａ〜１ｄの引き出し及び収納が行われ、カーテン生地１ａが先頭のカーテン生地となる。
図３に示すように、前記カーテン生地１ａ〜１ｄの左右両端部は、それぞれ折り返して縫着されることにより、袋状部６が形成され、その袋状部６内に合成樹脂で形成された丸棒状の振れ止め部材７が挿通されている。また、各カーテン生地１ａ〜１ｄの下端部は、上方へ折り返されて縫着され、その袋状部にウェイト板８が挿入されている。
【００１９】
先頭のカーテン生地１ａの左右両縁には、上下方向中央部に掴み部９ａ，９ｂが取着されている。この掴み部９ａ，９ｂは合成樹脂で一部を開口した筒状に形成され、前記袋状部６に挿通された振れ止め部材７に対し、カーテン生地１ａの側方から嵌着されている。
【００２０】
このような構成により、掴み部９ａ，９ｂを把持してカーテン生地１ａの移動操作が可能である。
前記掴み部９ａ，９ｂの表面は、汚れを容易に拭い取れるような、平滑面で構成される。
【００２１】
上記のように構成されたスライドスクリーンでは、次に示す作用効果を得ることができる。
（１）各カーテン生地１ａ〜１ｄの側縁部に振れ止め部材７が挿通されている。従って、カーテン生地１ａ〜１ｄの引き出し操作時及び引き出し後に、各カーテン生地１ａ〜１ｄの振れを抑制して、カーテン生地の側縁が入れ違いとなることを防止することができる。
（２）カーテン生地１ａ〜１ｄの引き出し操作及び収納操作は、先頭のカーテン生地１ａに取着された掴み部９ａ，９ｂを把持して行うことができる。従って、カーテン生地１ａの端縁を直接把持することはないので、カーテン生地１ａでの汚れの発生を防止することができる。
（３）振れ止め部材７を、カーテン生地１ａ〜１ｄの袋状部６内に収納したので、スライドカーテンの美観を低下させることはない。
（４）掴み部９ａ，９ｂは、振れ止め部材７を挿通した袋状部６に側方から嵌着すればよいので、容易に組み立てることができる。
（５）掴み部９ａ，９ｂに付着する汚れは、容易に拭い取ることができる。
【００２２】
上記実施の形態は、次に示すように変更することもできる。
・掴み部９ａ，９ｂの形状は、一部を開口した円筒状以外の任意の形状としてもよい。
【００２３】
【発明の効果】
以上詳述したように、この発明はカーテン生地の振れを抑制し得るスライドカーテンを提供することができる。また、カーテン生地の振れを抑制し、かつカーテン生地の汚れを防止し得るスライドカーテンを提供することができる。
【図面の簡単な説明】
【図１】スライドカーテンを示す正面図である。
【図２】スライドカーテンを示す側面図である。
【図３】先頭のカーテン生地を示す横断面図である。
【符号の説明】
１ａ〜１ｄ        カーテン生地
２        ハンガーレール
７        振れ止め部材
【図１】
2004194699.tif 000003
【図２】
2004194699.tif 000004
【図３】
2004194699.tif 000005